(57)【要約】【課題】プリンタにより簡単に多数の情報を印刷でき、切り離し作業および封印作業が容易な、くじ作製用のシートを提供する。【解決手段】一面側に粘着剤層を有する外層シートと、前記粘着剤層に剥離可能に重ねられた印刷可能な同形同大の内層シートとからなるくじ作製シートであって、前記外層シートには複数の単位外層シートを切り出すための切り出しスリットが設けられており、前記内層シートには複数の単位内層シートを切り離すための閉じたループ状をなすループ状スリットが前記各単位外層シートと重なる領域内にそれぞれ形成されており、前記単位外層シートおよび前記単位内層シートを前記各スリットにより前記外層シートおよび前記内層シートから切り離した後に二つ折りすることで前記単位内層シートの周囲で露出された前記粘着剤層を互いに重ね合わせて、前記単位内層シートに印刷された情報を隠蔽可能とした。【選択図】図４
2014188722.tif 000002
【特許請求の範囲】
【請求項１】
一面側に粘着剤層を有する外層シートと、前記粘着剤層に剥離可能に重ねられた印刷可能な同形同大の内層シートとからなり、
前記外層シートには複数の単位外層シートを切り出すための切り出しスリットが設けられており、
前記内層シートには複数の単位内層シートを切り離すための閉じたループ状をなすループ状スリットが前記各単位外層シートと重なる領域内にそれぞれ形成されており、
前記単位外層シートおよび前記単位内層シートを前記各スリットにより前記外層シートおよび前記内層シートから切り離した後に二つ折りすることで前記単位内層シートの周囲で露出された前記粘着剤層を互いに重ね合わせて、前記単位内層シートに印刷された情報を隠蔽可能としたことを特徴とするくじ作製シート。
【請求項２】
前記外層シートおよび前記内層シートの一方または双方に、二つ折りする際の折り目に沿う折り曲げ線が設けられていることを特徴とする請求項１に記載のくじ作製シート。
【請求項３】
前記外層シートおよび前記内層シートの一方または双方に、前記ループ状スリットの内側に位置するループ状の切断可能線が設けられていることを特徴とする請求項１または請求項２に記載のくじ作製シート。
【請求項４】
前記外層シートには、前記内層シートに印刷された情報を透かし見ることを防止する遮蔽印刷が施されていることを特徴とする請求項１ないし請求項３のいずれか一項に記載のくじ作製シート。
【発明の詳細な説明】
【技術分野】
【０００１】
本発明は、くじ作製シートに関する。
【背景技術】
【０００２】
例えば商業施設での売り出しやイベント、祭り等で行われるくじ引きで使用される三角くじ等のくじは、大きいシートから所定形状の用紙を切り取り、各用紙に等級、商品名、賞などをスタンプ、あるいは、手書き等で記入し、記入された内容が見えないように折り曲げて、端縁部を糊やホッチキスで留めることにより作製される。あるいは、専門の業者に発注し、全てを印刷によって製造した完成形態のものを購入する。
【先行技術文献】
【特許文献】
【０００３】
【特許文献１】特開２００４−１６０７３８号公報
【発明の概要】
【発明が解決しようとする課題】
【０００４】
しかしながら、くじを手作業で作製するのでは、大変な手間がかかり、作業効率が悪い。また、業者に発注するのは高コストとなる。
【０００５】
本発明は上記のような事情に基づいて完成されたものであって、プリンタにより簡単に多数の情報を印刷でき、切り離し作業および封印作業が容易な、くじ作製用のシートを提供することを目的とするものである。
【課題を解決するための手段】
【０００６】
上記課題を解決するためになされた本発明のくじ作製シートは、一面側に粘着剤層を有する外層シートと、前記粘着剤層に剥離可能に重ねられた印刷可能な同形同大の内層シートとからなり、前記外層シートには複数の単位外層シートを切り出すための切り出しスリットが設けられており、前記内層シートには複数の単位内層シートを切り離すための閉じたループ状をなすループ状スリットが前記各単位外層シートと重なる領域内にそれぞれ形成されており、前記単位外層シートおよび前記単位内層シートを前記各スリットにより前記外層シートおよび前記内層シートから切り離した後に二つ折りすることで前記単位内層シートの周囲で露出された前記粘着剤層を互いに重ね合わせて、前記単位内層シートに印刷された情報を隠蔽可能としたところに特徴を有する。
【０００７】
本発明のくじ作製シートによってくじを作製するには、次のようにする。まず、内層シートのうちのループ状スリットにより囲まれる単位内層シート内に、くじの当たり外れ、賞の種別等の情報を、プリンタによって一括に印刷する。そして、外層シートの切り出しスリットに沿って単位外層シートを他の領域から切り離す。すると、単位内層シートは、単位外層シートに積層された状態のまま内層シートのループ状スリットにより他の領域から切り離され、その周囲に単位外層シートの一面側に設けられた粘着剤層を露出させた状態となる。そこで、単位内層シートに印刷された情報が内側となるように二つに折り重ね、露出された粘着剤層を互いに貼り付ける。これにより、単位内層シートに印刷されたくじ情報は外部から見ることができなくなり、二つ折り状態のくじが得られる。
【０００８】
このように本発明のくじ作製シートによれば、プリンタによってくじ情報を印刷した上で、切り出しスリットに沿って単位外層シートを切り離し、単位外層シートに積層された単位内層シートを内側にして二つ折りにするという簡単な作業によりくじを作製することができて、便利である。
【０００９】
上記構成において、外層シートおよび内層シートの一方または双方に、二つ折りする際の折り目に沿う折り曲げ線を設ける構成としてもよい。このようにすると、くじを作製する際、積層状態の単位外層シートおよび単位内層シートを折り曲げ線に沿って折り曲げればよいから、位置合わせをする手間が省け、貼り合わせ作業がより容易となる。
【００１０】
また、外層シートおよび内層シートの一方または双方に、ループ状スリットの内側に位置するループ状の切断可能線を設ける構成としてもよい。このようにすると、引いたくじを開封する際、くじの端を切断可能線に沿って切り取ればよいから、開封作業が容易である。
【００１１】
また、外層シートに、内層シートに印刷された情報を透かし見ることを防止する遮蔽印刷を施すようにしてもよい。このような構成とすると、くじ作製シートの厚みが薄い場合であっても、シートを透かして単位内層シートに印刷した情報が読み取られることを確実に防止できる。
【発明の効果】
【００１２】
本発明によれば、プリンタにより簡単にくじ情報を印刷でき、切り離し作業および封印作業が容易な、くじ作製シートを得ることができる。
【図面の簡単な説明】
【００１３】
【図１】くじ作製シートの外層シート側の平面図
【図２】くじ作製シートの内層シート側の平面図
【図３】くじ作製シートから単位外層シートを切り離した場合の外層シート側の平面図
【図４】くじ作製シートから単位外層シートを切り離した場合の内層シート側の平面図
【図５】単位外層シートを折り曲げる過程を示す概念図
【図６】くじを開封する過程を示す概念図
【図７】他の実施形態のくじ作製シートから単位外層シートを切り離した場合の内層シート側の平面図
【図８】他の実施形態のくじを開封する過程を示す概念図
【発明を実施するための形態】
【００１４】
本発明の一実施形態を図１ないし図６によって説明する。
【００１５】
本実施形態のくじ作製シート１０は、例えば定型のＡ４サイズ（２９７ｍｍ×２１０ｍｍ）の外層シート１１と、この外層シート１１の一面側に塗布された粘着剤層１２と、この粘着剤層１２にぴったりと重ねられた前記外層シート１１と同形同大の内層シート２０と、の３層構造からなる。
【００１６】
外層シート１１は例えば紙製であって、一方の面は例えばレーザプリンタやインクジェットプリンタ等の一般的なプリンタによって印刷可能な印刷可能面とされており、それとは反対側の面には粘着剤が全面に塗布されて、粘着剤層１２が設けられている。
【００１７】
一方、内層シート２０も紙製であって、外層シート１１と同様に、一方の面は例えばレーザプリンタやインクジェットプリンタ等の一般的なプリンタによって印刷可能なくじ情報表示面とされている。また、他方の面には例えばシリコン処理等の粘着性を低下させる処理が施されており、これにより、内層シート２０は粘着剤層１２から剥離可能である。
【００１８】
上記外層シート１１には切り出しスリット１３が格子状に形成されており、図１に示すように、全体がほぼ１２の領域に分割されている。詳しくは、くじ作製シート１０の一対の短辺１０Ａに平行な５本の横切れ目１３Ａが、互いに７０ｍｍの間隔を隔てて平行に形成されている。また、くじ作製シート１０の長辺１０Ｂと平行な２本の縦切れ目１３Ｂが、やはり７０ｍｍの間隔を隔てて形成され、短辺１０Ａに沿った方向を三等分するようになっている。これらの横切れ目１３Ａおよび縦切れ目１３Ｂによって各辺７０ｍｍの同じ大きさの計１２の正方形の領域が形成され、これらを単位外層シート１４とよぶこととする。
【００１９】
なお、切り出しスリット１３（横切れ目１３Ａ，縦切れ目１３Ｂ）は、くじ作製シート１０の３層のうち、外層シート１１および粘着剤層１２を貫通するが内層シート２０を貫通しないように設けられた、いわゆるハーフカットであり、例えばトムソン加工によって形成される。
【００２０】
また外層シート１１には、切り出しスリット１３の内側に位置して、切り出しスリット１３に沿った略正方形状のミシン目１５（切断可能線の一例）が設けられている。このミシン目１５は、単位外層シート１４がその対角線に沿って２つ折りにされた際に、その半分ずつがぴったり重なり合うように設けられている。また、ミシン目１５は、正方形の角部が丸くなるように設けられており、切断時の作業が行い易いようになっている。このミシン目１５は、外層シート１１および粘着剤層１２を貫通するが内層シート２０を貫通しないように設けられている。
さらに外層シート１１の印刷可能面には、内層シート２０に印刷される情報を透かし見ることを防止するための地紋（図示せず）が予め印刷されている。
【００２１】
一方、内層シート２０には、図２に示すように、正方形状のループ状スリット２１が複数設けられている。このループ状スリット２１は、上述した単位外層シート１４の内側、かつ、ミシン目１５の外側に、単位外層シート１４の縁部（切り出しスリット１３）から等距離となる位置にそれぞれ設けられている。これらのループ状スリット２１によって囲まれた計１２の単位内層シート２２は、ループ状スリット２１により、それぞれ内層シート２０の他の領域から切り離し可能とされている。
【００２２】
また内層シート２０には、単位内層シート２２の対角線に沿って、折り曲げ線２３が形成されている。この折り曲げ線２３は、くじ作製シート１０のひとつの側縁部から他の側縁部までつながるように連続して設けられている。
【００２３】
なお、ループ状スリット２１は、くじ作製シート１０の３層のうち、内層シート２０のみに設けられたハーフカットであり、折り曲げ線２３は、内層シート２０のみに設けられたミシン目である。
【００２４】
本実施形態のくじ作製シート１０は以上の構成であり、次にその使用方法について説明する。
【００２５】
くじ作製シート１０を使用する場合には、まず、ユーザが内層シート２０に、くじの当たり外れ、賞の種別等のくじ情報を一括に印刷する。この時、くじ情報は通常のプリンタにより簡単に印刷することができる。また、外層シート１１と内層シート２０とは同形同大であって、段差のない一枚の紙として取り扱うことができるから、プリンタ印刷特性は良好である。
【００２６】
印刷後、外層シート１１に形成された単位外層シート１４のひとつを切り出しスリット１３に沿って他の領域から切り離す（図３参照）。すると、図４に示すように、切り離された単位外層シート１４の内側に位置する単位内層シート２２も内層シート２０の他の領域から切り離されるとともに、切り離された単位内層シート２２の周辺領域が粘着剤層１２から剥がし取られ、単位内層シート２２の周囲に粘着剤層１２が露出される。
【００２７】
次いで、折り曲げ線２３に沿って単位内層シート２２が内側となるように谷折りし、露出された粘着剤層１２が互いにぴったり重なり合うように貼り合わせる（図５参照）。この時、単位内層シート２２には折り曲げ線２３が予め設けられているので、折り曲げ作業を容易に行うことができて、作業性に優れる。
【００２８】
このようなくじ作製シート１０により作製されたくじを開封する場合には、図６に示すように、外側に配された外層シート１１のミシン目１５に沿ってくじの端部の一部を切り取って開封する。この時、ミシン目１５が設けられているので、開封作業を容易に行うことができる。
【００２９】
以上のように、本実施形態のくじ作製シート１０によれば、プリンタにより簡単に情報を印刷可能であり、かつ、外層シート１１から切り出しスリット１３に沿って単位外層シート１４を切り離し、単位内層シート２２を内側にして二つ折りにするだけでくじを簡単に作製することができて、便利である。
【００３０】
また、二つ折りにする際には、折り曲げ線２３に沿って折り曲げればよいから、位置合わせをする手間が省け、貼り合わせ作業がより容易である。
【００３１】
また、外層シート１１には、内層シート２０のループ状スリット２１の内側に位置するミシン目１５が設けられており、くじを開封する際には、このミシン目１５に沿って切り取ればよいから、開封作業が容易である。
【００３２】
さらに、外層シート１１には遮蔽印刷が施されているから、シート１０を透かして単位内層シート２２に印刷した情報が読み取られることを確実に防止することができる。
【００３３】
＜他の実施形態＞
本発明は上記記述及び図面によって説明した実施形態に限定されるものではなく、例えば次のような実施形態も本発明の技術的範囲に含まれる。
【００３４】
（１）上記実施形態では、外層シート１１に格子状に切り出しスリット１３を設けて、正方形状の単位外層シート１４を形成する構成としたが、単位外層シート１４は上記実施形態に限るものではない。例えば、長方形の他、円形、星型、ハート形等、任意の線対称の形状とすることができる（図７参照）。
【００３５】
（２）また、単位外層シート１４を正方形状とする場合には、上記実施形態のように対角線に沿って二つ折りにする（三角形状とする）以外にも、対角線と直交する線に沿って二つ折りにする（長方形状とする）構成としてもよい。
【００３６】
（３）あるいは、単位外層シート１４をぴったり二つに折り重ねる形態ではなく、端部をあえて少しずらして折り重ねる形態としてもよい。
【００３７】
（４）上記実施形態では、内層シート２０に折り曲げ線２３を設ける構成としたが、折り曲げ線２３は必須ではない。
【００３８】
（５）あるいは、外層シート１１だけに折り曲げ線２３を設けたり、外層シート１１と内層シート２０の双方に互いに重なる折り曲げ線２３を設ける構成としてもよい（図７参照）。
【００３９】
（６）なお、折り曲げ線２３としては、ミシン目に限らず、プレスにより形成した凹条や、印刷した折り曲げ線２３であってもよい。
【００４０】
（７）上記実施形態では、外層シート１１に切断可能線（ミシン目１５）を設ける構成としたが、切断可能線１５は必ずしも必要ではない。
【００４１】
（８）あるいは、図７に示すように、内層シート２０だけに切断可能線１５を設けたり、外層シート１１と内層シート２０の双方に互いに重なる切断可能線１５を設ける構成としてもよい。なお、内層シート２０だけに切断可能線１５を設ける場合には、外側からも切断位置がわかるように、外層シート１１に切断可能線１５に重なる切断線を印刷しておくことが好ましい。
【００４２】
（９）切断可能線１５は、例えば図７および図８に示すように、単位外層シート１４の外形とは異なる形状（図７では略矩形、図８では円形）としてもよく、要は、切り取り易い形状であればどのような形状でもよい。
【００４３】
（１０）上記実施形態では、外層シート１１に予め遮蔽印刷を施しておく構成としたが、遮蔽印刷は必ずしも必要でない。
【００４４】
（１１）外層シート１１には、遮蔽印刷の他、オリジナルの模様や広告等を印刷することもできる。
【符号の説明】
【００４５】
１０…くじ作製シート
１１…外層シート
１２…粘着剤層
１３…切り出しスリット
１４…単位外層シート
１５…ミシン目（切断可能線）
２０…内層シート
２１…ループ状スリット
２２…単位内層シート
２３…折り曲げ線
【図１】
2014188722.tif 000003
【図２】
2014188722.tif 000004
【図３】
2014188722.tif 000005
【図４】
2014188722.tif 000006
【図５】
2014188722.tif 000007
【図６】
2014188722.tif 000008
【図７】
2014188722.tif 000009
【図８】
2014188722.tif 000010